(57)【特許請求の範囲】
【請求項１】
引込戸の開口部上面に取り付ける上枠であって、引込戸の戸袋側の開口部上面に取り付けられる化粧が施されない戸袋側上枠と、戸先側の開口部上面に取り付けられる化粧が施された開口側上枠とに分割して構成された上枠と、戸袋側上枠の下面の鴨居レール取付凹部に嵌合固定される戸袋側鴨居レールと、開口側上枠の下面の鴨居レール取付凹部に嵌合固定される開口側鴨居レールとに分割して構成された鴨居レールとを有し、戸袋側上枠と開口側上枠とを連接して直線状に連続する上枠を形成したときにこれら戸袋側上枠と開口側上枠との間に幅方向両側に方立を収容するための方立収容凹部が形成されるものであって、戸袋側上枠と開口側上枠とを連接したときの継ぎ目と、戸袋側鴨居レールと開口側鴨居レールとを連接したときの継ぎ目が、いずれも、方立収容凹部の範囲内に位置することを特徴とする引込戸の上枠。
【請求項２】
戸袋側上枠と開口側上枠とを連接したときの継ぎ目と、戸袋側鴨居レールと開口側鴨居レールとを連接したときの継ぎ目が、略一致した位置にあることを特徴とする、請求項１記載の引込戸の上枠。
【請求項３】
請求項１または２記載の上枠を有してなる引込戸構造であって、戸袋側上枠と開口側上枠とを連接して直線状に連続するものとして形成された上枠においてこれら戸袋側上枠と開口側上枠との間に幅方向両側に形成される方立収容凹部に方立が収容されてなることを特徴とする引込戸構造。
【請求項４】
請求項１または２記載の上枠を有してなる引込戸構造の施工方法であって、戸袋側の開口部上面に化粧が施されない戸袋側上枠を取り付け、この戸袋側上枠の下面の鴨居レール取付凹部に戸袋側鴨居レールを嵌合固定し、戸袋下地に壁材およびクロスを貼った後、戸先側の開口部上面に化粧が施された開口側上枠を取り付けて戸袋側上枠に連接させることにより直線状に連続する上枠を形成し、この開口側上枠の下面の鴨居レール取付凹部に開口側鴨居レールを嵌合固定して戸袋側鴨居レールに連接させることにより直線状に連続する鴨居レールを形成することを特徴とする引込戸構造の施工方法。
【発明の詳細な説明】
【技術分野】
【０００１】
本発明は引込戸に設置される上枠、該上枠を用いた引込戸構造およびその施工方法に関する。
【背景技術】
【０００２】
隣接する２つの部屋ないし空間を仕切る壁に形成される開口部に引戸を設置して該開口部を開閉可能にする場合、開口部に隣接する一方の壁に、戸を開けたときに収納するための空間（戸袋）を設けた、いわゆる引込戸とすることが行われている（特許文献１）。この引戸構造によると、戸を開けたときに、隣接する２つの部屋ないし空間のいずれの側からも戸が見えないので、すっきりした印象や開放的な印象を与えることができる。
【０００３】
このような引込戸の施工は、従来、開口部の上面に上枠を取り付けると共に、開口側縦枠、戸袋側戸当たり部材（縦材）、鴨居（または鴨居レール）、敷居（または敷居レール）、戸袋下地などを固定し、戸袋下地に石膏ボードを固定し、鴨居（または鴨居レール）に引戸を吊り込み、戸袋開口端に方立を取り付けた後、最後に石膏ボードにクロスを貼って化粧を行っている。石膏ボードにクロスを貼る際には、開口部に取り付けた部材（上枠など）とクロスとの継ぎ目にコーキング剤を塗布する必要がある。クロスを貼った後に開口部に上枠などの部材を取り付け、コーキング剤を塗布することも作業的には可能であるが、コーキング剤の塗布はクロス貼り工程の一環として内装施工業者が行う作業であり、クロス貼りとコーキング剤塗布の作業を分けて行うことは非効率的である。したがって、上記したように、クロス貼りおよびコーキング剤塗布の作業は、開口部に上枠などの必要部材をすべて取り付けた後に、最後の仕上げ作業として行われる。
【先行技術文献】
【特許文献】
【０００４】
【特許文献１】特開２００７−０５６５０６号公報
【発明の概要】
【発明が解決しようとする課題】
【０００５】
しかしながら、建具部材としての上枠は一般に化粧シートなどで化粧が施されているため、これを開口部の上面に取り付けた後にクロス貼り作業を行うと、上枠の化粧が剥がれたり上枠が破損したりして補修作業や交換作業が必要になることがあった。上枠は開口部の上面にネジや接着剤などで固定されているので、その補修や交換を行うには、固定された上枠を取り外した後、補修した上枠または新たな上枠を取り付ける必要があり、多大な手間を要するものであった。また、傷付きを防止するために上枠を養生シートで覆うことも行われているが、その作業に余分な手間がかかっていた。また、引戸の補修や交換が必要になった場合も、固定されている上枠を一旦取り外した後に再度取り付けなければならず、多大な作業手間を要していた。
【０００６】
したがって、本発明が解決しようとする課題は、前記施工順で引込戸を施工する場合であっても、クロス貼りの際に上枠の化粧が損なわれず、また、上枠や引戸の補修や交換の際に上枠の取り外し・取り付けを容易に行うことができるような、新規な上枠構造を提供することである。
【課題を解決するための手段】
【０００７】
この課題を解決するため、請求項１に係る本発明は、引込戸の開口部上面に取り付ける上枠であって、引込戸の戸袋側の開口部上面に取り付けられる化粧が施されない戸袋側上枠と、戸先側の開口部上面に取り付けられる化粧が施された開口側上枠とに分割して構成された上枠と、戸袋側上枠の下面の鴨居レール取付凹部に嵌合固定される戸袋側鴨居レールと、開口側上枠の下面の鴨居レール取付凹部に嵌合固定される開口側鴨居レールとに分割して構成された鴨居レールとを有し、戸袋側上枠と開口側上枠とを連接して直線状に連続する上枠を形成したときにこれら戸袋側上枠と開口側上枠との間に幅方向両側に方立を収容するための方立収容凹部が形成されるものであって、戸袋側上枠と開口側上枠とを連接したときの継ぎ目と、戸袋側鴨居レールと開口側鴨居レールとを連接したときの継ぎ目が、いずれも、方立収容凹部の範囲内に位置することを特徴とする。
【０００９】
請求項２に係る本発明は、請求項１記載の上枠において、戸袋側上枠と開口側上枠とを連接したときの継ぎ目と、戸袋側鴨居レールと開口側鴨居レールとを連接したときの継ぎ目が、略一致した位置にあることを特徴とする。
【００１０】
請求項３に係る本発明は、請求項１または２記載の上枠を有してなる引込戸構造であって、戸袋側上枠と開口側上枠とを連接して直線状に連続するものとして形成された上枠においてこれら戸袋側上枠と開口側上枠との間に幅方向両側に形成される方立収容凹部に方立が収容されてなることを特徴とする。
【００１１】
請求項４に係る本発明は、請求項１または２記載の上枠を有してなる引込戸構造の施工方法であって、戸袋側の開口部上面に化粧が施されない戸袋側上枠を取り付け、この戸袋側上枠の下面の鴨居レール取付凹部に戸袋側鴨居レールを嵌合固定し、戸袋下地に壁材およびクロスを貼った後、戸先側の開口部上面に化粧が施された開口側上枠を取り付けて戸袋側上枠に連接させることにより直線状に連続する上枠を形成し、この開口側上枠の下面の鴨居レール取付凹部に開口側鴨居レールを嵌合固定して戸袋側鴨居レールに連接させることにより直線状に連続する鴨居レールを形成することを特徴とする。
【発明の効果】
【００１２】
本発明によれば、引込戸構造の開口部上面に設置される上枠が戸袋側上枠と開口側上枠とに分割され、鴨居レールも戸袋側上枠に取り付けられる戸袋側鴨居レールと開口側上枠に取り付けられる開口側鴨居レールとに分割されているので、戸袋側上枠と戸袋側鴨居レールを取り付けてクロス貼り作業を行った後に、開口側上枠と開口側鴨居レールを取り付けることができる。したがって、クロス貼り作業の際に開口側上枠が傷付くことによる化粧の剥がれや破損を招くことがない。クロス貼り作業の時点で戸袋側上枠は既に取り付けられているが、戸袋側上枠には化粧が施されないので、養生シートで被覆して傷付きを防止する必要もない。
【００１３】
また、引込戸施工後に、開口側上枠や開口側鴨居レールが破損して補修や交換が必要になった場合、戸袋を壊さなくても、開口側上枠や開口側鴨居レールを取り外すだけで補修や交換の作業を行うことができ、作業手間および作業時間が軽減される。
【００１４】
また、戸袋側上枠と開口側上枠とを連接して直線状に連続する上枠を形成したときにこれら戸袋側上枠と開口側上枠との間に幅方向両側に方立を収容するための方立収容凹部が形成され、方立をこの方立収容凹部に収容して上枠に対して縦勝ちに取り付けることができるので、方立収容凹部の範囲に位置する上枠および鴨居レールの継ぎ目を方立の側面で隠蔽することができる。
【００１５】
また、戸袋側上枠と開口側上枠とを連接したときの継ぎ目と、戸袋側鴨居レールと開口側鴨居レールとを連接したときの継ぎ目を、いずれも、方立収容凹部の範囲内に位置するように構成することにより、これらの継ぎ目が、方立収容凹部に収容するように設置した方立で隠蔽されて戸袋の外側（正面側）から見えなくなり、見栄えを損なわない。また、これらの継ぎ目が方立ての前面と略面一に位置するように構成すれば、さらに、開口側上枠を戸袋側上枠に連続して取り付ける作業や、開口側鴨居レールを戸袋側鴨居レールに連続して取り付ける作業、あるいはそれらを取り外す作業を容易に行うことができる。
【００１６】
また、これらの継ぎ目が略一致して位置するように構成することにより、一旦取り付けた開口側上枠を取り外す必要が生じたときに、開口側鴨居レールと共に容易に取り外すことができる。これらの継ぎ目が一致していない場合は、開口側上枠または戸袋側上枠より鴨居レールが突出しているので、開口側上枠を取り外す際に該突出部を引っ掛けて破損させる恐れがあり、慎重な作業を要求されるため、作業効率が低下する。
【図面の簡単な説明】
【００１７】
【図１】本発明の一実施形態による上枠を用いて施工された引込戸構造を、開口部が引戸で閉じられた状態として示す正面図である。
【図２】図１中Ａ−Ａ切断部分の断面図である。
【図３】図２中Ｂ部分の拡大図である（引戸および鴨居レールは図示省略）。
【図４】図１の引込戸構造に用いられる方立を構成する一部材である下地方立の正面図（ａ）および側面図（ｂ）である。
【図５】図１の引込戸構造に用いられる方立を構成する他部材である化粧方立の正面図（ａ）および側面図（ｂ）である。
【図６】図４の下地方立と図５の化粧方立を連結する連結部材の正面図（ａ）、平面図（ｂ）および側面図（ｃ）である。
【図７】図１の引込戸構造に用いられる開口側上枠の平面図（ａ）および側面図（ｂ）である。
【図８】図１の引込戸構造に用いられる開口側鴨居レールの平面図（ａ）および側面図（ｂ）である。
【図９】図１の引込戸構造に用いられる戸袋側上枠の平面図（ａ）、幅狭部端面図（ｂ）および幅広部端面図（ｃ）である。
【図１０】図１の引込戸構造に用いられる戸袋側鴨居レールの平面図（ａ）および側面図（ｂ）である。
【図１１】図７の開口側上枠と図９の戸袋側上枠とを連続させて上枠とした状態の平面図である。
【図１２】図１１の状態にさらに図８の開口側鴨居レールと図１０の戸袋側鴨居レールとを連続させて鴨居レールを取り付けた状態の平面図である。
【図１３】図１２中Ｃ−Ｃ切断部分の断面図（ａ）、Ｄ−Ｄ切断部分の断面図（ｂ）およびＥ−Ｅ切断部分の断面図（ｃ）である。
【図１４】図１の引込戸構造の施工を工程順に示す説明図である。これら図１４（ａ）〜（ｄ）はいずれも床面から開口部上面を見上げた状態で示されている。図１４（ｄ）は図２と同一である。
【図１５】本発明の他実施形態による上枠を用いて施工された引込戸構造を、開口部が引戸で閉じられた状態として示す正面図である。
【図１６】図１５中Ｆ−Ｆ切断部分の断面図である。
【図１７】図１５の引込戸構造に用いられる開口側上枠の平面図（ａ）および側面図（ｂ）である。
【図１８】図１５の引込戸構造に用いられる戸袋側上枠の平面図（ａ）および側面図（ｂ）である。
【図１９】図１７の開口側上枠と図１８の戸袋側上枠とを連続させて上枠とした状態の平面図である。
【図２０】図１９の状態にさらに図８の開口側鴨居レールと図１０の戸袋側鴨居レールとを連続させて鴨居レールを取り付けた状態の平面図である。
【図２１】図２０中Ｇ−Ｇ切断部分の断面図（ａ）、Ｈ−Ｈ切断部分の断面図（ｂ）およびＩ−Ｉ切断部分の断面図（ｃ）である。
【図２２】図１５の引込戸構造の施工を工程順に示す説明図である。これら図２１（ａ）〜（ｄ）はいずれも床面から開口部上面を見上げた状態で示されている。図２２（ｄ）は図１６と同一である。
【発明を実施するための最良の形態】
【００１８】
以下に実施例を挙げて本発明を詳細に説明する。
【実施例１】
【００１９】
図１および図２に示される引込戸構造１０は、柱１１，１２間の開口部２９において、柱１１の内面に固定される縦枠１３と、柱１２の内面に固定される戸当たり部材１４と、これら縦枠１３および戸当たり部材１４の上端同士の間に架設される上枠１５とからなる三方枠に引戸１６が横方向にスライド移動可能に設けられ、戸当たり部材１４の両側に、戸袋下地板１７および戸袋下地桟１８からなる戸袋下地材１９および方立２０を取り付け、それらの外側に各々壁材として石膏ボード２１およびクロス２２を貼って戸袋２３，２３を形成したものである。縦枠１３、戸当たり部材１４および上枠１５はいずれもＭＤＦで形成される。この実施形態において、開口部は高さ２４７０ｍｍ、幅１５８０ｍｍであり、引戸１６は高さ２４４０ｍｍ、幅７９０ｍｍであり、戸袋２３は高さ２４７０ｍｍ、幅７８５ｍｍである。
【００２０】
縦枠１３は、少なくとも施工状態において露出する部分に化粧シート貼りなどによる化粧が施された単一部材からなるものであっても良い（実施例２）が、この実施形態の縦枠１３は、開口部２９に固定する下地縦枠１３１と、この下地縦枠１３１の表面に固定する化粧縦枠１３２とからなるものとして示されている。下地縦枠１３１は化粧縦枠１３２より幅広であり、下地縦枠１３１には化粧が施されていないが、化粧縦枠１３２の少なくとも施工状態露出面を覆うように、たとえば、表面から側面を回り込んで裏面側に至る部分にかけて化粧が施されている。下地縦枠１３１の表面には長手方向に延長する凹条１３３が形成されると共に、化粧縦枠１３２の裏面には長手方向に延長する凸条１３４が形成され、この凸条１３４を凹条１３３に嵌合して固定することにより、下地縦枠１３１と化粧縦枠１３２とを一体化して縦枠１３としている。また、化粧縦枠１３２の表面には、引戸１６を閉じたときにその閉じ側端を受ける戸じゃくり１３５が形成されている。この実施形態において、下地縦枠１３１は長さ２４６７ｍ、幅１４７ｍｍであり、化粧縦枠１３２は長さ２４６７ｍｍ、幅１１０ｍｍである。
【００２１】
上枠１５は、開口側上枠３２（図７）と戸袋側上枠３３（図９）とからなる。開口側上枠３２は、その長手方向一端面３２１を縦枠１３（化粧縦枠１３２）の上端表面に突き当てた状態で方立２０近くまで延長し、戸袋側上枠３３は、その長手方向一端面３３１を戸当たり部材１４の上端表面に突き当てた状態で縦枠１３に向けて戸袋２３から突出し、開口側上枠３２の先端面３２２を戸袋側上枠３３の先端面３３２とを実質的に突き当てた状態で一体化して、一直線に延長する上枠１５が形成されている（図１１）。
【００２２】
開口側上枠３２と戸袋側上枠３３は、厚さが略同一であるが、長さは開口側上枠３２が戸袋側上枠３３より短く、幅は開口側上枠３２が壁厚さと略同一であるのに対し戸袋側上枠３３は壁厚さより小さく、表裏の戸袋下地材１９間の隙間に入り込むことが可能な幅寸法とされている。この実施形態において、開口側上枠３２は長さ７７４.５ｍｍ、幅１０４ｍｍであり、戸袋側上枠３３は長さ７９０ｍｍ、幅６２ｍｍであって、いずれもＭＤＦから形成されたものである。
【００２３】
開口側上枠３２について図７を参照してさらに説明すると、開口側上枠３２は平面視長方形状であり、長さは開口部２９の左右幅の略半分であり、幅は開口部２９の前後厚さと略等しい。断面形状は略コの字形であり、その施工状態において下面となる面３２６の幅方向中央には、後述する開口側鴨居レール２４１の戸車走行溝２４３を嵌合収容する溝３２４を含む鴨居レール取付凹部３２５が、長手方向全長に亘って延長するものとして凹設されている。溝３２４および鴨居レール取付凹部３２５はいずれも断面方形状である。また、上面３２７の幅方向両側には、長手方向全長に亘って延長する切欠３２８，３２８が形成されている。さらに、開口側上枠３２には、その少なくとも施工状態で露出する面を化粧するために化粧シート３２３が貼着されている。この実施形態では、上面３２７、切欠３２８，３２８、幅方向両側面および下面３２６を完全に被覆して、その両端が鴨居レール取付凹部３２５の両側面まで巻き込まれるようにして化粧シート３２３が貼着されている。開口側上枠３２を開口部２９上面に取り付けると、開口側上枠３２の上面３２７の左右角部に形成される切欠３２８，３２８と開口部上面との間にあらかじめ溝が形成されるので、施工後に開口部上面と開口側上枠３２の上面３２７との間に隙間が生ずることになっても目立たず、良好な外観を維持することができる。
【００２４】
戸袋側上枠３３について図９を参照してさらに説明すると、戸袋側上枠３３は平面視略長方形状であるが、幅方向両側の段部３３３，３３３を介して先端が幅狭に形成され、幅広部３３４と幅狭部３３５とからなる。幅広部３３４と幅狭部３３５を含めた全長は開口部２９の左右幅の略半分であり、開口部２９の前後厚さ、すなわち、方立２０（下地方立２５および化粧方立２６）の厚さと戸袋下地材１９の幅の合計から戸当たり部材１４の厚さを引いた寸法と略等しい（図２参照）。幅広部３３４の幅は開口側上枠３２より小さく、表裏の戸袋下地材１９，１９の間に納まる大きさである。戸袋側上枠３３の断面形状は幅広部３３４および幅狭部３３５を通じて略コの字形であり、その施工状態において下面となる面３３６の幅方向中央には、後述する開口側鴨居レール２４２の戸車走行溝２４４を嵌合収容する溝３３７を含む鴨居レール取付凹部３３８が形成されている。溝３３７は、幅広部３３４および幅狭部３３５を通じて戸袋側上枠３３の長手方向全長に亘って直線状に連続して延長するものとして凹設されている。幅広部３３５の厚さは開口側上枠３２の厚さと同じである。
【００２５】
開口側上枠３２に形成される鴨居レール取付凹部３２５および戸袋側上枠３３に形成される鴨居レール取付凹部３３８は同一断面形状を有し、開口側上枠３２の先端面３２２と戸袋側上枠３３の先端面３３２とを実質的に突き当てた状態にしたときに、これらが一直線上に整列して、後述する開口側鴨居レール２４１および戸袋側鴨居レール２４２を一直線上に配置して鴨居レール２４を取り付けることを可能にする。また、戸袋側上枠３３に形成される段部３３３，３３３は、開口側上枠３２の先端面３２２と戸袋側上枠３３の先端面３３２とを実質的に突き当てた状態にしたときに、開口側上枠先端面３２２との間に、方立２０（下地方立２６および化粧方立２７）を収容するためのスペースを与える。この実施形態において、各段部３３３は長さ５６ｍｍ、幅１１．３ｍｍである。
【００２６】
開口側上枠３２の下面に開口側鴨居レール２４１（図８）が取り付けられ、戸袋側上枠３３の下面に戸袋側鴨居レール２４２（図１０）が取り付けられる。これら鴨居レール２４１，２４２はいずれも合成樹脂で形成され、同一の断面形状を有するものであって、その底面の幅方向中央に戸車走行溝２４３，２４４が形成され、両側面の先端には外方に向けて突出する係止縁２４５，２４６が形成された略コの字状の断面形状を有する。開口側鴨居レール２４１の長さは開口側上枠３２の長さと同じ（７７４．５ｍｍ）であり、戸袋側鴨居レール２４２の長さは戸袋側上枠３３の長さと同じ（７９０ｍｍ）である。したがって、開口側鴨居レール２４１と戸袋側鴨居レール２４２の長さの合計は、開口側上枠３２と戸袋側上枠３３の長さの合計と同じである。また、開口側鴨居レール２４１および戸袋側鴨居レール２４２の幅および高さは、それぞれ開口側上枠３２の鴨居レール嵌合凹部３２５および戸袋側上枠３３の鴨居レール嵌合凹部３３８の幅および深さと略同一であって、開口側鴨居レール２４１は、係止縁２４５が鴨居レール取付凹部３２５の開口縁に係止され且つ戸車走行溝２４３が開口側上枠３２の溝３２４に嵌合された状態で鴨居レール取付凹部３２５に嵌合され、同様に、戸袋側鴨居レール２４２は、係止縁２４６が鴨居レール取付凹部３２５の開口縁に係止され且つ戸車走行溝２４４が戸袋側上枠３３（幅広部３３４）の溝３３７に嵌合された状態で鴨居レール取付凹部３３８に嵌合される。係止縁２４５，２４６は、開口側鴨居レール２４１および／または戸袋側鴨居レール２４２が開口側上枠３２の鴨居レール取付凹部３２５および／または戸袋側上枠３３の鴨居レール取付凹部３３８に嵌合されたときにそれらの間に隙間が生じていても、この隙間を隠蔽する役割を果たす。
【００２７】
既述したように、開口側鴨居レール２４１と戸袋側鴨居レール２４２の断面形状は略同一であり、開口側鴨居レール２４１と戸袋側鴨居レール２４２が上述したように開口側上枠３２および戸袋側上枠３３にそれぞれ固定されたときに、開口側鴨居レール２４１と戸袋側鴨居レール２４２とが一直線に延長する鴨居レール２４を形成して（図１２）、引戸１６の上端に取り付けられる戸車（図示せず）が鴨居レール２４の戸車走行溝２４３，２４４内で走行することにより引戸１６の開閉方向移動を円滑に案内する。なお、図示しないが、開口側上枠３２の鴨居レール取付凹部３２５の側面に接する開口側鴨居レール２４１の側面および／または戸袋側上枠３３の鴨居レール取付凹部３３８の側面に接する戸袋側鴨居レール２４２の側面には、長手方向に延長する一または複数の突条や長手方向に点在する一または複数の突起を形成して、これら突条や突起が凹部側面に喰い込んで外れにくくすることができる。
【００２８】
方立２０は、下地方立２５（図４）と、化粧方立２６（図５）と、これらを連結する連結部材２７（図６）とからなる。下地方立２５と化粧方立２６は、連結部材２７により、図２およびそのＢ部分拡大図である（引戸１６および鴨居レール２４は図示省略）図３に示されるように連結された状態で、引込戸構造１０の戸袋２３開口端の表裏にそれぞれ設けられる。
【００２９】
図４を参照して、下地方立２５はＭＤＦで形成され、施工状態においては石膏ボード２１の外面から連続して突出部外面２５３ｄおよび突出部前面２５３ｃにかけてクロス２２が貼着される（図３）が、下地方立２５自体に化粧シートは貼着されない。下地方立２５は、一定の断面形状が長手方向（施工状態において壁高さ方向）に連続する長尺部材であり、略方形の断面形状を有する下地本体部２５１と、この下地本体部２５１の外方および前方に突出する突出部２５２とからなる。より詳しくは、下地方立２５は、下地本体部２５１の前面２５３ａと、突出部２５２の側面２５３ｂと、突出部２５２の前面２５３ｃと、突出部２５２の外面２５３ｄと、突出部２５２の後面２５３ｆと、突出部２５２の外面２５３ｄと後面２５３ｆとの間の傾斜面２５３ｅと、下地本体部２５１の外面２５３ｇと、下地本体部２５１の背面２５３ｈと、下地本体部２５１の内面２５３ｉの各面を有するものとして形成されている。
【００３０】
下地本体部２５１の前面２５３ａと突出部２５２の下面２５３ｂとの間には化粧方立２６を嵌合するための切欠２５４が形成され、突出部２５２の後面２５３ｆと下地本体部２５１の外面２５３ｇとの間には石膏ボード２１を納めるための（したがって石膏ボード２１の厚さと略同一幅を有する）切欠２５５が形成される。この実施形態における下地方立２５の寸法は、長さ２４６９ｍｍ、幅（突出部２５２の外面２５３ｄと下地本体部２６１の内面２５３ｉの間隔）５１．５ｍｍ、厚さ（突出部２５２の前面２５３ｃと下地本体部２６１の背面２５３ｈの間隔）３０ｍｍであり、切欠２５４を形成する下地本体部前面２５３ａおよび突出部側面２５３ｂはそれぞれ幅２９ｍｍ、幅５ｍｍであり、切欠２５５を形成する突出部後面２５３ｆと下地本体部外面２５３ｇはいずれも幅１３．５ｍｍ（石膏ボード２１の厚さと略同一）である。また、突出部２５２の前面２５３ｃは幅２２．５ｍｍ、外面２５３ｄは幅１６．５ｍｍである。突出部２５２の外面２５３ｄと後面２５３ｆとの間の傾斜面（面取り）２５３ｅは、施工時に、石膏ボード２１の端面との間の隙間２８（図３）にパテ（図示せず）を埋め込んで下地方立２５と石膏ボード２１との継ぎ目を略平坦にするための隙間２８（図３）を与える。
【００３１】
下地本体部２５１の前面２５３ａには長手方向に延長する連結溝２５６が形成されると共に、この連結溝２５６の中心線上に中心を持つ円形断面を有するネジ頭収容凹部２５７が長手方向に任意間隔をおいて複数個設けられ、さらに各ネジ頭収容凹部２６７の底面の中心から背面２５３ｈ近くまでの深さにネジ穴２５８が形成される。連結溝２５６は、下地方立２５が化粧方立２６と組み合わされたときに、化粧方立２６の連結溝２６２（後述）と一致する位置に形成される。この実施形態では、連結溝２５６は深さ７ｍｍ、幅３ｍｍであり、１３ｍｍ径、深さ１０ｍｍのネジ頭収容凹部２５７と、２．５ｍｍ径、深さ１３ｍｍのネジ穴２５８が、長手方向に５５０ｍｍの等間隔で各々５箇所（図４では２箇所を図示省略）に設けられている。
【００３２】
図５を参照して、化粧方立２６はＭＤＦで形成され、一定の断面形状が長手方向（施工状態において壁厚方向）に連続する長尺部材である。化粧方立２６は略方形の断面形状を有するが、下地方立２５と組み合わされるときに向かい合う側の面（後面）に切欠２６１および連結溝２６２が形成されている。化粧方立２６は、前面２６３ａと、外面２６３ｃと、これらの間の傾斜面２６３ｂと、切欠２６１を形成する面２６３ｄ，２６３ｅと、後面２６３ｆと、内面２６３ｇの各面を有するものとして形成されており、面２６３ｇ，２６３ａ〜２６３ｅを完全に被覆してその両端が後面２６３ｆに回り込むように、化粧シート２６４が貼着されている。既述したように、連結溝２６２は、化粧方立２６が下地方立２５と組み合わされたときに、下地方立２５の連結溝２５６と一致する位置に形成される。
【００３３】
この実施形態における化粧方立２６の寸法は、長さ２４６９ｍｍ、幅（外面２６３ｃと内面２６３ｇの間隔）３３ｍｍ、厚さ（前面２６３ａと後面２６３ｆの間隔）３０ｍｍであり、連結溝２６２は深さ７ｍｍ、幅３ｍｍであり、切欠２６１を形成する面２６３ｄおよび２６３ｅはそれぞれ幅５ｍｍおよび幅９ｍｍであり、後面２６３ｆは幅１８ｍｍである。化粧方立２６は、対向する化粧縦枠１３２の幅に合わせて統一感を出すため、また、目立たないようにしてすっきりした外観に仕上げるために、下地方立２５より幅を小さく形成している。
【００３４】
図６を参照して、連結部材２７は合成樹脂で形成された細板状の長尺部材であり、その表裏には凹凸２７１が形成され、幅方向の一方が下地方立２５の連結溝２５６に嵌合する嵌合部２７２となり、他方が化粧方立２６の連結溝２６２に嵌合する嵌合部２７３となる。表裏の凹凸２７１は、嵌合部２７２，２７３では各々挿入方向に傾斜して先端鋭角状に突出する形状とされ、且つ、嵌合部２７２，２７３の先端も鋭角状に形成されている。これにより、嵌合部２７２，２７３を連結溝２５６，２６２に嵌合しやすく、且つ、一旦嵌合すれば凹凸２７１が連結溝２５６，２６２の溝内面に喰い込んで容易には離脱しない嵌合状態が得られる。
【００３５】
連結部材２７の厚さは連結溝２５６，２６２の幅（この実施形態では３ｍｍ）と略同一またはそれよりわずかに大きい寸法であり、その幅（嵌合部２７２，２７３の長さ合計）は連結溝２５６，２６２の深さ合計（１４ｍｍ）と略同一またはそれよりわずかに小さい寸法である。この実施形態では、連結部材２７は、長さ２４６９ｍｍ、幅１４ｍｍ、厚さ（凹凸２７１を含む）４ｍｍである。なお、連結部材２７は全体を単一の合成樹脂で一体に形成しても良いが、硬質樹脂を主体としながら、嵌合部２７２，２７３の先端から表裏面の一部にかけて軟質樹脂を設けて形成しても良い。
【００３６】
図１および図２記載の引込戸構造１０の施工について、図１４を参照して説明する。図１４（ａ）は下地工程を示すものであり、柱１１に下地縦枠１３１、柱１２に戸当たり部材１４、開口部２９の上面に戸袋側上枠３３をそれぞれ取り付け、開口部２９の上下面および柱１２に戸袋下地板１７および戸袋下地桟１８からなる戸袋下地材１９を取り付け、戸袋下地材１９の外面に石膏ボード２１を取り付けて表裏に戸袋２３，２３を形成し、各戸袋２３の開口端部に下地方立２５を取り付ける。このとき、戸袋下地材１９の側面と戸袋側上枠３３の段部３３３の側面３３３ａ（図９（ａ））とが面一となり、これらに下地方立２５の後面２５３ｈが当接して、下地方立２５の一部が戸袋側上枠３３の段部３３３に収容される。下地方立２５は戸袋下地材１９の側面にネジ（図示せず）で固定されるが、戸袋側上枠３３の段部側面３３３ｂ（図９（ａ））には接触せず、これらの間に１〜３ｍｍ程度の隙間を設けておく。このようにすることで、下地方立２５や開口側上枠３２などの加工精度が悪くても、下地方立２５を所定の位置に施工することが妨げられない。戸袋側上枠３３は、あらかじめ戸袋側鴨居レール２４２を嵌合固定して一体化した後に開口部２９の上面に取り付けても良い。各戸袋下地材１９の外面に石膏ボード２１を取り付け、その端部を下地方立２５の切欠２５５に納めて隙間２８にパテ（図示せず）を埋め、下地方立２５の外面２５３ｄとの継ぎ目を略平坦にする。
【００３７】
次いで、図１４（ｂ）に示すように、戸袋側上枠３３に戸袋側鴨居レール２４２を嵌合固定した（この作業は図１４（ａ）において戸袋側上枠３３を取り付けた後、クロス貼りを行う前であればいつ行っても良い）後、クロス貼りを行う。すなわち、戸袋２３，２３側においては、石膏ボード２１の表面から下地方立２５の突出部外面２５３ｄおよび前面２５３ｃを完全に被覆するようにクロス２２を貼る。下地方立２５の切欠２５５の深さ（突出部外面２５３ｄと下地本体部外面２５３ｇの間隔）は石膏ボード２１の厚さに略等しいので、石膏ボード２１の表面から下地方立２５の外面２５３にかけて連続的にクロス２２を貼ると、石膏ボード２１と下地方立２５との間の継ぎ目においても段差のない平滑な化粧面が得られる。同様に、柱１１の側においても、石膏ボード２１の表面から下地縦枠１３１の外面および前面を覆うようにクロス２２を貼る。
【００３８】
次いで、図１４（ｃ）に示すように、柱１２側において下地縦枠１３１に化粧縦枠１３２を取り付けて縦枠１３を形成し、戸袋側上枠３３と連続するように開口側上枠３２を開口部２９の上面に取り付けて上枠１５を形成し、さらに、戸袋側鴨居レール２４２と連続するように開口側鴨居レール２４１を取り付けて鴨居レール２４を形成する。開口側上枠３２は、あらかじめ開口側鴨居レール２４１を嵌合固定して一体化した後に、開口部２９の上面に取り付けても良い。図示されないが、鴨居レール２４の直下において、床面３０に敷居レール３１を取り付ける。また、各下地方立２５の連結溝２５６に、連結部材２７の嵌合部２７２を嵌合させ、他方の嵌合部２７３が開口部２９に突出した状態としておく。
【００３９】
図１４（ｄ）は仕上げ工程を示すものであり、鴨居レール２４に引戸１６を吊り込むと共に、図１４（ｃ）で突出状態にある連結部材２７の嵌合部２７３を、化粧方立２６の連結溝２６２に差し込んで嵌合することにより、下地方立２５に化粧方立２６を取り付ける。あるいは、図１４（ｃ）では連結部材２７を下地方立２５の連結溝２５６に嵌合させずに、図１４（ｄ）において、連結部材２７の嵌合部２７３を連結溝２６２に嵌合させた状態の化粧方立２６を下地方立２５に近付けていって、突出する嵌合部２７２を下地方立２５の連結溝２５６に差し込んで嵌合することによって、これらを一体化するようにしても良い。下地方立２５と化粧方立２６とが上記のように一体化されて得られる方立２０は、開口側上枠３２の先端面３２２と戸袋側上枠３３の段部側面３３３ａ，３３３ｂとで形成される方立収容凹部３４（図１２）に収容される。すなわち、下地方立２５の後面２５３ｈが戸袋側上枠３３の段部側面３３３ａに当接すると共に、化粧方立２６の前面２６３ａが開口側上枠３２の先端面３２２に当接し、これらの内面２５３ｉ，２６３ｇが面一となって、下地方立２５および化粧方立２６の一部（内側部分）が方立収容凹部３４に収容される。なお、図１に示すように、化粧方立２６は、開口側上枠１５１に対していわゆる縦勝ちに固定される。
【００４０】
このとき、下地方立２５の前面２５３ａと化粧方立２６の後面２６３ｆとが接した状態となり、下地方立２５の内面２５３ｉと化粧方立２６の内面２６３ｇは略面一となって連続した面を形成する。また、下地方立２５の突出部２５２は化粧方立２６の切欠２６１に納められるが、既述した寸法関係から、下地方立２５の突出部側面２５３ｂおよび前面２５３ｃは化粧方立２６の切欠面２６３ｄ，２６３ｅとは非接触状態に維持され、これらの面の間には隙間が確保される。つまり、下地方立２５において、連結溝２５６の上面から突出部側面２５３ｂまでの距離をａ１、突出部側面２５３ｂの幅をａ２とし、化粧方立２６において、連結溝２６２の上面から切欠面２６３ｅまでの距離をｂ１、切欠面２６３の幅をｂ２とすれば、ａ１＞ｂ１であり且つｂ２＞ａ２である（図３）。したがって、上記のように化粧方立２６を下地方立２５に組み付けて一体化したときに、下地方立２５および／化粧方立２６の加工精度が悪い場合であっても、それらの連結溝２５６，２６２同士を一致させて、連結部材１７で連結することができる。また、下地方立２５の外面２５３ｄ、傾斜面２５３ｅおよび前面２５３ｃまでを完全に被覆するように貼着されたクロス２２や、化粧方立２６の面２６３ｇ，２６３ａ〜２６３ｅを完全に被覆してその両端が後面２６３ｆに回り込むように貼着された化粧シート２６４を傷付けることがない。
【００４１】
この施工方法によれば、化粧が施されていない戸袋側上枠３３を取り付けた（図１４（ａ））後にクロス２２を貼り（図１４（ｂ））、その後に、化粧が施された開口側上枠３２を取り付けて戸袋側上枠３３と連続させる（図１４（ｃ））ことにより上枠１５を完成させるので、クロス貼り作業の際に開口側上枠３２が傷付くことによる化粧の剥がれや破損を招くことがない。クロス貼り作業の時点で戸袋側上枠３３は既に取り付けられているが、戸袋側上枠３３には化粧が施されないので、養生シートで被覆して傷付きを防止する必要もない。
【００４２】
また、上記のようにして施工された引込戸構造１０において、施工後に、開口側上枠３２や開口側鴨居レール２４１が破損して補修や交換が必要になった場合、戸袋２３を壊さなくても、開口側上枠３２や開口側鴨居レール２４１を取り外すだけで補修や交換の作業を行うことができ、作業手間および作業時間が軽減される。
【００４３】
また、開口側上枠３２と戸袋側上枠３３との間の継ぎ目Ｊ１および開口側鴨居レール２４１と戸袋側鴨居レール２４２との間の継ぎ目Ｊ２は、いずれも戸袋２３の外側（開口部２９内）に位置しているので、開口側上枠３２や開口側鴨居レール２４１の取り付け・取り外しの作業が容易である。
【００４４】
また、既述したように、下地方立２５および化粧方立２６は、開口側上枠３２の先端面３２２と戸袋側上枠３３の段部側面３３３ａ，３３３ｂとで形成される方立収容凹部３４（図１２）に収容され、開口側上枠３２と戸袋側上枠３３との間の継ぎ目Ｊ１および開口側鴨居レール２４１と戸袋側鴨居レール２４２との間の継ぎ目Ｊ２は、いずれも化粧方立２６，２６の前面２６３ａと略面一なり、且つ、化粧方立２６，２６の幅方向の略中央に位置するので、これらの継ぎ目Ｊ１，Ｊ２が化粧方立２６，２６で隠蔽されて戸袋２３の外側（正面側）から見えなくなり、見栄えを損なわない。
【実施例２】
【００４５】
図１５および図１６に示される引込戸構造１０は、実施例１の引込戸構造１０に近似しているが、その構成部材である縦枠１３、上枠１５、鴨居レール２４および方立２０に相違が見られる。以下、主にこれらについて説明し、実施例１と同様の構成部材や作用については、説明を省略する。また、実施例１と同様または対応する部材や要素には同一の符号が付されている。
【００４６】
縦枠１３については、下地縦枠１３１と化粧縦枠１３２の２部材からなるものとして示されているが、この実施形態では、これらを組み合わせて一体化させたような形状および構成を有し、その少なくとも施工時露出面に化粧シート１３６が貼られた単一部材である。方立２０についても、実施例１ではこれを下地方立２５と化粧方立２６の２部材からなるものとして示されているが、この実施例では、これらを組み合わせて一体化させたような形状および構成を有し、その少なくとも施工時露出面に化粧シート２０１が貼られた単一部材である。
【００４７】
上枠１５については、この実施形態においても実施例１と同様に開口側上枠３２と戸袋側上枠３３の２部材からなるが、実施例１ではこれらが同じ長さを有するものとされているのに対し、この実施形態では開口側上枠３２が戸袋側上枠３３より長く形成されている。すなわち、図１７に示すように、この実施例の開口側上枠３２は平面視略長方形状であるが、幅方向両側の段部３２０，３２０を介して先端が幅狭に形成され、幅広部３２Ａと幅狭部３２Ｂとからなる。幅広部３２Ａと幅狭部３２Ｂを含めた全長は開口部２９の左右幅の略半分である。幅広部３２Ａの幅は開口側上枠３２より小さく、表裏の戸袋下地材１９，１９の間に納まる大きさである。開口側上枠３２の断面形状は幅広部３２Ａおよび幅狭部３２Ｂを通じて略コの字形であり、その施工状態において下面となる面３２６の幅方向中央には、後述する開口側鴨居レール２４２の戸車走行溝２４４を嵌合収容する溝３２４を含む鴨居レール取付凹部３２５が形成されている。溝３２４は、幅広部３２Ａおよび幅狭部３２Ｂを通じて開口側上枠３２の長手方向全長に亘って直線状に連続して延長するものとして凹設されている。幅広部３２Ａの厚さは戸袋側上枠３３の厚さと同じである。
【００４８】
一方、この実施形態の戸袋側上枠３３は、図１８に示すように、実施例１の戸袋側上枠３３の幅狭部３３５を切除し、幅広部３３４のみからなるものとして形成されている。要すれば、この切除した幅狭部３３５を実施例１の開口側上枠３２の先端側に連続させて幅狭部３２Ｂとすることにより、この実施形態の開口側上枠３２が形成される。長さの一例を挙げれば、開口側上枠３２が７９０ｍｍ（幅広部３２Ａが７３４ｍｍ、幅狭部３２Ｂが５６ｍｍ）、戸袋側上枠３３が７７４．５ｍｍ、開口側鴨居レール２４１が７６２ｍｍ、戸袋側鴨居レール２４２が８０２．５ｍｍである。
【００４９】
鴨居レール１４を構成する開口側鴨居レール２４１および戸袋側鴨居レール２４２は、実施例１の開口側鴨居レール２４１（図８）および戸袋側鴨居レール２４２（図１０）と同様の平面形状および断面形状を有し、その幅および高さ（深さ）寸法も同じであるが、それらの開口側上枠３２および戸袋側上枠３３に対する長さ関係が異なっている。すなわち、実施例１では開口側上枠３２と開口側鴨居レール２４１とが同じ長さであり、戸袋側上枠３３と戸袋側鴨居レール２４２とが同じ長さであるため、開口側上枠３２を戸袋側上枠３３に連続させたときの継ぎ目Ｊ１（図１９）と、開口側鴨居レール２４１を戸袋側鴨居レール２４２に連続させたときの継ぎ目Ｊ２とが同じ位置になる（図１２）が、この実施例では開口側鴨居レール２４１は開口側上枠３２より短く、戸袋側鴨居レール２４２は戸袋側上枠３３より長いため、開口側上枠３２を戸袋側上枠３３に連続させたときの継ぎ目Ｊ１と、開口側鴨居レール２４１を戸袋側鴨居レール２４２に連続させたときの継ぎ目Ｊ２とが異なる位置となる（図２０）。
【００５０】
上枠３２，３３同士の継ぎ目Ｊ１は方立２０，２０の後面と略面一であり、且つ、方立２０，２０の幅方向の略中央に位置するので、外部から見えず、良好な見栄えを維持する。また、鴨居レール２４１，２４２同士の継ぎ目Ｊ２も、方立２０，２０の幅方向の略中央に位置するので、見栄えを損なわない。また、鴨居レール２４１，２４２同士の継ぎ目Ｊ２も、方立２０，２０の厚さ範囲および幅方向の略中央に位置するので、外部から見えず、良好な見栄えを維持する。
【００５１】
この実施例による引込戸構造１０の施工について、図２２を参照して説明する。図２２（ａ）は下地工程を示すものであり、柱１１，１２にそれぞれ縦枠１３を取り付けると共に、柱１２に戸当たり部材１４、戸袋側上枠３３、戸袋側鴨居レール２４２（図２２（ｂ）に示す）、戸袋下地板１７、戸袋下地桟１８、戸袋下地材１９を取り付けて表裏に戸袋２３，２３を形成し、引戸１６を吊り込む。各戸袋２３の開口端部に方立２０を取り付ける。各戸袋下地材１９の外面に石膏ボード２１を取り付け、その端部の隙間２８（図３）にパテ（図示せず）を埋めて平滑にする。
【００５２】
次いで、図２２（ｃ）に示すように、戸袋２３，２３側においては、方立２０との継ぎ目位置まで石膏ボード２１の表面にクロス２２を貼ると共に、柱１１の側においても、縦枠１３との継ぎ目位置まで石膏ボード２１の表面にクロス２２を貼る。
【００５３】
次いで、図２２（ｄ）に示すように、戸袋側上枠３３と連続するように開口側上枠３２を開口部２９の上面に取り付けて上枠１５を形成し、さらに、戸袋側鴨居レール２４２と連続するように開口側鴨居レール２４１を取り付けて鴨居レール２４を形成する。開口側上枠３２は、あらかじめ開口側鴨居レール２４１を嵌合固定して一体化した後に、開口部２９の上面に取り付けても良い。この実施形態では、開口側上枠３２が開口側鴨居レール２４１より長く形成され、戸袋側上枠３３が戸袋側鴨居レール２４２より短く形成されているので、開口側上枠３２と戸袋側上枠３３との間の継ぎ目Ｊ１（これらの先端面３２２，３３２同士が突き合わされることによって形成される）と、開口側鴨居レール２４１と戸袋側鴨居レール２４２との間の継ぎ目Ｊ２（これらの先端面同士が突き合わされることによって形成される）が異なる位置となり（図２０）、鴨居レール２４を形成した時点で、上枠の継ぎ目Ｊ１は隠れて見えなくなる。
【００５４】
本発明について実施例を挙げて詳述したが、本発明はこれら実施例に限定されるものではなく、特許請求の範囲に規定される発明の範囲内において広く変形ないし変更して実施可能である。たとえば、上枠同士の継ぎ目Ｊ１と鴨居レール同士の継ぎ目Ｊ２とが異なる位置となるようにする実施形態（実施例２）の場合は、上枠同士の継ぎ目Ｊ１が開口部幅方向のどの位置であっても、鴨居レール２４を形成した時点で鴨居２４によって隠れて見えなくなるので、施工の容易さなどを考慮して任意の位置に上枠同士の継ぎ目Ｊ１を設定することができる。
【符号の説明】
【００５５】
１０  引込戸構造
１１  柱（開口側）
１２  柱（戸袋側）
１３  縦枠
１３１  下地縦枠
１３２  化粧縦枠
１３３  凹条
１３４  凸条
１３５  戸じゃくり
１３６  化粧シート
１４  戸当たり部材
１５  上枠
１６  引戸
１７  戸袋下地板
１８  戸袋下地桟
１９  戸袋下地材
２０  方立
２０１  化粧シート
２１  石膏ボード（壁材）
２２  クロス
２３  戸袋
２４  鴨居レール
２４１  開口側鴨居レール
２４２  戸袋側鴨居レール
２４３，２４４  戸車走行溝
２４５，２４６  係止縁
２５  下地方立
２５１  下地本体部
２５２  突出部
２５３ａ〜２５３ｉ  面
２５４，２５５  切欠
２５６  連結溝
２６  化粧方立
２６１  切欠
２６２  連結溝
２６３ａ〜２６３ｇ  面
２６４  化粧シート
２７  連結部材
２７１  凹凸
２７２，２７３  嵌合部
２８  隙間
２９  開口部
３０  床面
３１  敷居レール
３２  開口側上枠
３２０  段部
３２１  縦枠側端面
３２２  先端面
３２３  化粧シート
３２４  溝
３２５  鴨居レール取付凹部
３２６  下面
３２７  上面
３２８  切欠
３２９  両側面
３２Ａ  幅広部
３２Ｂ  幅狭部
３３  戸袋側上枠
３３１  戸当たり側端面
３３２  先端面
３３３  段部
３３３ａ，３３３ｂ  段部側面
３３４  幅広部
３３５  幅狭部
３３６  下面
３３７  溝
３３８  鴨居レール取付凹部
３４  方立収容凹部
Ｊ１  開口側上枠と戸袋側上枠との間の継ぎ目
Ｊ２  開口側鴨居レールと戸袋側鴨居レールとの間の継ぎ目
【図１】
0006501467.tif 000002
【図２】
0006501467.tif 000003
【図３】
0006501467.tif 000004
【図４】
0006501467.tif 000005
【図５】
0006501467.tif 000006
【図６】
0006501467.tif 000007
【図７】
0006501467.tif 000008
【図８】
0006501467.tif 000009
【図９】
0006501467.tif 000010
【図１０】
0006501467.tif 000011
【図１１】
0006501467.tif 000012
【図１２】
0006501467.tif 000013
【図１３】
0006501467.tif 000014
【図１４】
0006501467.tif 000015
【図１５】
0006501467.tif 000016
【図１６】
0006501467.tif 000017
【図１７】
0006501467.tif 000018
【図１８】
0006501467.tif 000019
【図１９】
0006501467.tif 000020
【図２０】
0006501467.tif 000021
【図２１】
0006501467.tif 000022
【図２２】
0006501467.tif 000023